(57)【要約】【課題】トナー画像を構成しないトナーが搬送部材に付着するのを抑制した上で、掻出部材から搬送部材に吐き出されて記録媒体の裏面に付着するトナー等の異物を減らすことができる転写装置、画像形成装置を得る。【解決手段】従動ロール４４に非転写電圧が印加されることで、トナー画像を構成しないトナーが搬送ベルト４０に付着されるのが抑制される。制御部２０は、搬送ベルト４０が離間位置から接触位置に切り替えられた際に、１枚目のシート部材Ｐが転写部Ｔに到達するまでの非転写電圧を、１枚目のシート部材Ｐが転写部Ｔを通過した後の非転写電圧に対して弱める。これにより、ブラシロール８０に保持されて帯電した異物が搬送ベルト４０に一気に吐き出されるのが抑制されることで、トナー画像を構成しないトナーが搬送ベルト４０に付着するのを抑制した上で、搬送ベルト４０によって搬送されるシート部材Ｐの裏面に付着する異物が減らされる。【選択図】図１
2015001725.tif 000002
【特許請求の範囲】
【請求項１】
無端状で、記録媒体の裏面を支持して記録媒体の表面をトナー画像を保持する像保持体に接触させながら周回して記録媒体を搬送する搬送部材と、
前記搬送部材に付着した異物を前記搬送部材から掻き出す掻出部材と、
転写出力が供給されることで前記搬送部材と前記像保持体との間の転写部で前記トナー画像を記録媒体に転写する転写部材と、
前記転写出力に対して逆極性の逆出力が供給されることで前記転写部で前記トナー画像を構成しないトナーが前記搬送部材に付着するのを抑制する逆出力部材と、
前記搬送部材の配置を前記像保持体と接触可能な接触位置と、前記搬送部材を前記像保持体と離間する離間位置とに切り替える切替部材と、
前記切替部材によって前記搬送部材が前記離間位置から前記接触位置に切り替えられた際に、前記搬送部材によって搬送される１枚目の記録媒体が前記転写部に到達するまでに前記逆出力部材に供給される逆出力を、前記１枚目の記録媒体が前記転写部を通過した後に供給される逆出力に対して弱める、又は１枚目の記録媒体が前記転写部に到達するまでに前記逆出力部材への逆出力の供給を停止させる制御部と、
を備える転写装置。
【請求項２】
無端状で、記録媒体の裏面を支持して記録媒体の表面をトナー画像を保持する像保持体に接触させながら周回して記録媒体を搬送する搬送部材と、
前記搬送部材に付着した異物を前記搬送部材から掻き出す掻出部材と、
前記掻出部材に対して前記搬送部材の周回方向の下流側に配置され、前記搬送部材に付着した異物を前記搬送部材から掻き取る掻取部材と、
転写出力が供給されることで前記搬送部材と前記像保持体との間の転写部で前記トナー画像を記録媒体に転写する転写部材と、
前記転写部材によってトナー画像が転写された記録媒体の枚数を記憶する記憶部材と、
前記転写出力に対して逆極性の逆出力が供給されることで前記転写部で前記トナー画像を構成しないトナーが前記搬送部材に付着するのを抑制する逆出力部材と、
前記搬送部材の配置を前記像保持体と接触可能な接触位置と、前記搬送部材を前記像保持体と離間する離間位置とに切り替える切替部材と、
前記切替部材によって前記搬送部材が前記離間位置から前記接触位置に切り替えられ、かつ、前記記憶部材に記憶されている記録媒体の枚数が予め決められた閾値に達している際に、前記搬送部材によって搬送される１枚目の記録媒体が前記転写部に到達するまでに前記逆出力部材に供給される逆出力を、前記１枚目の記録媒体が前記転写部を通過した後に供給される逆出力に対して弱める、又は１枚目の記録媒体が前記転写部に到達するまでに前記逆出力部材への逆出力の供給を停止させる制御部と、
を備える転写装置。
【請求項３】
無端状で、記録媒体の裏面を支持して記録媒体の表面をトナー画像を保持する像保持体に接触させながら周回して記録媒体を搬送する搬送部材と、
前記搬送部材に付着した異物を前記搬送部材から掻き出す掻出部材と、
前記掻出部材に対して前記搬送部材の周回方向の下流側に配置され、前記搬送部材に付着した異物を前記搬送部材から掻き取る掻取部材と、
転写出力が供給されることで前記搬送部材と前記像保持体との間の転写部で前記トナー画像を記録媒体に転写する転写部材と、
前記転写出力に対して逆極性の逆出力が供給されることで前記転写部で前記トナー画像を構成しないトナーが前記搬送部材に付着するのを抑制する逆出力部材と、
前記転写部材によってトナー画像が転写された記録媒体の枚数を記憶する記憶部材と、
装置周辺の温度を検出する検出部材と、
前記搬送部材の配置を前記像保持体と接触可能な接触位置と、前記搬送部材を前記像保持体と離間する離間位置とに切り替える切替部材と、
前記切替部材によって前記搬送部材が前記離間位置から前記接触位置に切り替えられ、前記記憶部材に記憶されている記録媒体の枚数が予め決められた閾値に達し、かつ、前記検出部材によって検出された温度が予め決められた閾値以下に低下している際に、前記搬送部材によって搬送される１枚目の記録媒体が前記転写部に到達するまでに前記逆出力部材に供給される逆出力を、前記１枚目の記録媒体が前記転写部を通過した後に供給される逆出力に対して弱める、又は１枚目の記録媒体が前記転写部に到達するまでに前記逆出力部材への逆出力の供給を停止させる制御部と、
を備える転写装置。
【請求項４】
無端状で、記録媒体の裏面を支持して記録媒体の表面をトナー画像を保持する像保持体に接触させながら周回して記録媒体を搬送する搬送部材と、
前記搬送部材に付着した異物を前記搬送部材から掻き出す掻出部材と、
前記掻出部材に対して前記搬送部材の周回方向の下流側に配置され、前記搬送部材に付着した異物を前記搬送部材から掻き取る掻取部材と、
転写出力が供給されることで前記搬送部材と前記像保持体との間の転写部で前記トナー画像を記録媒体に転写する転写部材と、
前記転写出力に対して逆極性の逆出力が供給されることで前記転写部で前記トナー画像を構成しないトナーが前記搬送部材に付着するのを抑制する逆出力部材と、
前記搬送部材の周回回数を記憶する記憶部材と、
前記切替部材によって前記搬送部材が前記離間位置から前記接触位置に切り替えられ、かつ、前記記憶部材に記憶されている前記搬送部材の周回回数が予め決められた閾値に達している際に、前記搬送部材によって搬送される１枚目の記録媒体が前記転写部に到達するまでに前記逆出力部材に供給される逆出力を、前記１枚目の記録媒体が前記転写部を通過した後に供給される逆出力に対して弱める、又は１枚目の記録媒体が前記転写部に到達するまでに前記逆出力部材への逆出力の供給を停止させる制御部と、
を備える転写装置。
【請求項５】
無端状で、記録媒体の裏面を支持して記録媒体の表面をトナー画像を保持する像保持体に接触させながら周回して記録媒体を搬送する搬送部材と、
前記搬送部材に付着した異物を前記搬送部材から掻き出す掻出部材と、
前記掻出部材に対して前記搬送部材の周回方向の下流側に配置され、前記搬送部材に付着した異物を前記搬送部材から掻き取る掻取部材と、
転写出力が供給されることで前記搬送部材と前記像保持体との間の転写部で前記トナー画像を記録媒体に転写する転写部材と、
前記転写出力に対して逆極性の逆出力が供給されることで前記転写部で前記トナー画像を構成しないトナーが前記搬送部材に付着するのを抑制する逆出力部材と、
装置周辺の温度を検出する検出部材と、
前記切替部材によって前記搬送部材が前記離間位置から前記接触位置に切り替えられ、前記記憶部材に記憶されている前記搬送部材の周回回数が予め決められた閾値に達し、かつ、前記検出部材によって検出された温度が予め決められた閾値以下に低下している際に、前記搬送部材によって搬送される１枚目の記録媒体が前記転写部に到達するまでに前記逆出力部材に供給される逆出力を、前記１枚目の記録媒体が前記転写部を通過した後に供給される逆出力に対して弱める、又は１枚目の記録媒体が前記転写部に到達するまでに前記逆出力部材への逆出力の供給を停止させる制御部と、
を備える転写装置。
【請求項６】
トナー画像を保持する像保持体と、
前記像保持体に形成されたトナー画像を記録媒体に転写する請求項１〜５の何れか１項に記載された転写装置と、
を備える画像形成装置。
【発明の詳細な説明】
【技術分野】
【０００１】
本発明は、転写装置、及びこれを備えた画像形成装置に関する。
【背景技術】
【０００２】
特許文献１には、トナー消費量を抑えながら清掃部材にかぶりトナーを適量供給し、像保持体と清掃部材との間の摩擦抵抗を低減する画像形成装置が記載されている。
【０００３】
この画像形成装置は、像保持体と、現像バイアスが印加可能な現像剤保持体を有する現像手段と、像保持体に当接する板状清掃部材を有する清掃手段と、像保持体に静電潜像を保持させずに且つ現像手段の現像剤担持体に現像バイアスを印加しないときに像保持体及び現像手段の現像剤保持体を空回転可能に駆動制御する駆動制御手段と、この駆動制御手段にて像保持体及び現像手段の現像剤保持体を空回転するときに、現像剤保持体に保持されている現像剤トナーのうち像保持体へかぶり転移すべき量に基づいて像保持体と現像手段の現像剤保持体との電位差を制御する電位差制御手段と、を備えている。
【先行技術文献】
【特許文献】
【０００４】
【特許文献１】特開２００９−１２２５５８号公報
【発明の概要】
【発明が解決しようとする課題】
【０００５】
本発明の課題は、トナー画像を構成しないトナーが搬送部材に付着するのを抑制した上で、掻出部材から搬送部材に吐き出されて記録媒体の裏面に付着するトナー等の異物を減らすことである。
【課題を解決するための手段】
【０００６】
本発明の請求項１に係る転写装置は、無端状で、記録媒体の裏面を支持して記録媒体の表面をトナー画像を保持する像保持体に接触させながら周回して記録媒体を搬送する搬送部材と、前記搬送部材に付着した異物を前記搬送部材から掻き出す掻出部材と、転写出力が供給されることで前記搬送部材と前記像保持体との間の転写部で前記トナー画像を記録媒体に転写する転写部材と、前記転写出力に対して逆極性の逆出力が供給されることで前記転写部で前記トナー画像を構成しないトナーが前記搬送部材に付着するのを抑制する逆出力部材と、前記搬送部材の配置を前記像保持体と接触可能な接触位置と、前記搬送部材を前記像保持体と離間する離間位置とに切り替える切替部材と、前記切替部材によって前記搬送部材が前記離間位置から前記接触位置に切り替えられた際に、前記搬送部材によって搬送される１枚目の記録媒体が前記転写部に到達するまでに前記逆出力部材に供給される逆出力を、前記１枚目の記録媒体が前記転写部を通過した後に供給される逆出力に対して弱める、又は１枚目の記録媒体が前記転写部に到達するまでに前記逆出力部材への逆出力の供給を停止させる制御部と、を備えることを特徴とする。
【０００７】
本発明の請求項２に係る転写装置は、無端状で、記録媒体の裏面を支持して記録媒体の表面をトナー画像を保持する像保持体に接触させながら周回して記録媒体を搬送する搬送部材と、前記搬送部材に付着した異物を前記搬送部材から掻き出す掻出部材と、前記掻出部材に対して前記搬送部材の周回方向の下流側に配置され、前記搬送部材に付着した異物を前記搬送部材から掻き取る掻取部材と、転写出力が供給されることで前記搬送部材と前記像保持体との間の転写部で前記トナー画像を記録媒体に転写する転写部材と、前記転写部材によってトナー画像が転写された記録媒体の枚数を記憶する記憶部材と、前記転写出力に対して逆極性の逆出力が供給されることで前記転写部で前記トナー画像を構成しないトナーが前記搬送部材に付着するのを抑制する逆出力部材と、前記搬送部材の配置を前記像保持体と接触可能な接触位置と、前記搬送部材を前記像保持体と離間する離間位置とに切り替える切替部材と、前記切替部材によって前記搬送部材が前記離間位置から前記接触位置に切り替えられ、かつ、前記記憶部材に記憶されている記録媒体の枚数が予め決められた閾値に達している際に、前記搬送部材によって搬送される１枚目の記録媒体が前記転写部に到達するまでに前記逆出力部材に供給される逆出力を、前記１枚目の記録媒体が前記転写部を通過した後に供給される逆出力に対して弱める、又は１枚目の記録媒体が前記転写部に到達するまでに前記逆出力部材への逆出力の供給を停止させる制御部と、を備えることを特徴とする。
【０００８】
本発明の請求項３に係る転写装置は、無端状で、記録媒体の裏面を支持して記録媒体の表面をトナー画像を保持する像保持体に接触させながら周回して記録媒体を搬送する搬送部材と、前記搬送部材に付着した異物を前記搬送部材から掻き出す掻出部材と、前記掻出部材に対して前記搬送部材の周回方向の下流側に配置され、前記搬送部材に付着した異物を前記搬送部材から掻き取る掻取部材と、転写出力が供給されることで前記搬送部材と前記像保持体との間の転写部で前記トナー画像を記録媒体に転写する転写部材と、前記転写出力に対して逆極性の逆出力が供給されることで前記転写部で前記トナー画像を構成しないトナーが前記搬送部材に付着するのを抑制する逆出力部材と、前記転写部材によってトナー画像が転写された記録媒体の枚数を記憶する記憶部材と、装置周辺の温度を検出する検出部材と、前記搬送部材の配置を前記像保持体と接触可能な接触位置と、前記搬送部材を前記像保持体と離間する離間位置とに切り替える切替部材と、前記切替部材によって前記搬送部材が前記離間位置から前記接触位置に切り替えられ、前記記憶部材に記憶されている記録媒体の枚数が予め決められた閾値に達し、かつ、前記検出部材によって検出された温度が予め決められた閾値以下に低下している際に、前記搬送部材によって搬送される１枚目の記録媒体が前記転写部に到達するまでに前記逆出力部材に供給される逆出力を、前記１枚目の記録媒体が前記転写部を通過した後に供給される逆出力に対して弱める、又は１枚目の記録媒体が前記転写部に到達するまでに前記逆出力部材への逆出力の供給を停止させる制御部と、を備えることを特徴とする。
【０００９】
本発明の請求項４に係る転写装置は、無端状で、記録媒体の裏面を支持して記録媒体の表面をトナー画像を保持する像保持体に接触させながら周回して記録媒体を搬送する搬送部材と、前記搬送部材に付着した異物を前記搬送部材から掻き出す掻出部材と、前記掻出部材に対して前記搬送部材の周回方向の下流側に配置され、前記搬送部材に付着した異物を前記搬送部材から掻き取る掻取部材と、転写出力が供給されることで前記搬送部材と前記像保持体との間の転写部で前記トナー画像を記録媒体に転写する転写部材と、前記転写出力に対して逆極性の逆出力が供給されることで前記転写部で前記トナー画像を構成しないトナーが前記搬送部材に付着するのを抑制する逆出力部材と、前記搬送部材の周回回数を記憶する記憶部材と、前記切替部材によって前記搬送部材が前記離間位置から前記接触位置に切り替えられ、かつ、前記記憶部材に記憶されている前記搬送部材の周回回数が予め決められた閾値に達している際に、前記搬送部材によって搬送される１枚目の記録媒体が前記転写部に到達するまでに前記逆出力部材に供給される逆出力を、前記１枚目の記録媒体が前記転写部を通過した後に供給される逆出力に対して弱める、又は１枚目の記録媒体が前記転写部に到達するまでに前記逆出力部材への逆出力の供給を停止させる制御部と、を備えることを特徴とする。
【００１０】
本発明の請求項５に係る転写装置は、無端状で、記録媒体の裏面を支持して記録媒体の表面をトナー画像を保持する像保持体に接触させながら周回して記録媒体を搬送する搬送部材と、前記搬送部材に付着した異物を前記搬送部材から掻き出す掻出部材と、前記掻出部材に対して前記搬送部材の周回方向の下流側に配置され、前記搬送部材に付着した異物を前記搬送部材から掻き取る掻取部材と、転写出力が供給されることで前記搬送部材と前記像保持体との間の転写部で前記トナー画像を記録媒体に転写する転写部材と、前記転写出力に対して逆極性の逆出力が供給されることで前記転写部で前記トナー画像を構成しないトナーが前記搬送部材に付着するのを抑制する逆出力部材と、装置周辺の温度を検出する検出部材と、前記切替部材によって前記搬送部材が前記離間位置から前記接触位置に切り替えられ、前記記憶部材に記憶されている前記搬送部材の周回回数が予め決められた閾値に達し、かつ、前記検出部材によって検出された温度が予め決められた閾値以下に低下している際に、前記搬送部材によって搬送される１枚目の記録媒体が前記転写部に到達するまでに前記逆出力部材に供給される逆出力を、前記１枚目の記録媒体が前記転写部を通過した後に供給される逆出力に対して弱める、又は１枚目の記録媒体が前記転写部に到達するまでに前記逆出力部材への逆出力の供給を停止させる制御部と、を備えることを特徴とする。
【００１１】
本発明の請求項６に係る画像形成装置は、トナー画像を保持する像保持体と、前記像保持体に形成されたトナー画像を記録媒体に転写する請求項１〜５の何れか１項に記載された転写装置と、を備えることを特徴とする。
【発明の効果】
【００１２】
本発明の請求項１の転写装置によれば、１枚目の記録媒体が転写部に到達するまでに逆出力部材に供給される逆出力と、１枚目の記録媒体が転写部を通過した後に逆出力部材に供給される逆出力とが同等の場合と比して、トナー画像を構成しないトナーが搬送部材に付着するのを抑制した上で、掻出部材から搬送部材に吐き出されて記録媒体の裏面に付着するトナー等の異物を減らすことができる。
【００１３】
本発明の請求項２の転写装置によれば、１枚目の記録媒体が転写部に到達するまでに逆出力部材に供給される逆出力と、１枚目の記録媒体が転写部を通過した後に逆出力部材に供給される逆出力とが常に同等の場合と比して、トナー画像を構成しないトナーが搬送部材に付着するのを抑制した上で、掻出部材から搬送部材に吐き出されて記録媒体の裏面に付着するトナー等の異物を減らすことができる。
【００１４】
本発明の請求項３の転写装置によれば、１枚目の記録媒体が転写部に到達するまでに逆出力部材に供給される逆出力と、１枚目の記録媒体が転写部を通過した後に逆出力部材に供給される逆出力とが常に同等の場合と比して、トナー画像を構成しないトナーが搬送部材に付着するのを抑制した上で、掻出部材から搬送部材に吐き出されて記録媒体の裏面に付着するトナー等の異物を減らすことができる。
【００１５】
本発明の請求項４の転写装置によれば、１枚目の記録媒体が転写部に到達するまでに逆出力部材に供給される逆出力と、１枚目の記録媒体が転写部を通過した後に逆出力部材に供給される逆出力とが常に同等の場合と比して、トナー画像を構成しないトナーが搬送部材に付着するのを抑制した上で、掻出部材から搬送部材に吐き出されて記録媒体の裏面に付着するトナー等の異物を減らすことができる。
【００１６】
本発明の請求項５の転写装置によれば、１枚目の記録媒体が転写部に到達するまでに逆出力部材に供給される逆出力と、１枚目の記録媒体が転写部を通過した後に逆出力部材に供給される逆出力とが常に同等の場合と比して、トナー画像を構成しないトナーが搬送部材に付着するのを抑制した上で、掻出部材から搬送部材に吐き出されて記録媒体の裏面に付着するトナー等の異物を減らすことができる。
【００１７】
本発明の請求項６の画像形成装置によれば、請求項１〜５の何れか１項に記載の転写装置を備えない場合と比して、出力される記録媒体の裏面に付着するトナー等の異物を減らすことができる。
【図面の簡単な説明】
【００１８】
【図１】（Ａ）（Ｂ）本発明の第１実施形態に係る転写装置を示した構成図である。
【図２】（Ａ）（Ｂ）（Ｃ）（Ｄ）本発明の第１実施形態に係る転写装置の動作を説明するのに用いた説明図である。
【図３】（Ａ）（Ｂ）本発明の第１実施形態に係る転写装置に用いられた駆動ロール近傍を示した側面図である。
【図４】本発明の第１実施形態に係る転写装置に用いられた電源部９０、９２によって印加される電圧のタイミングを説明するのに用いた説明図である。
【図５】本発明の第１実施形態に係る転写装置を示した斜視図である。
【図６】本発明の第１実施形態に係る画像形成装置を示した概略構成図である。
【図７】（Ａ）（Ｂ）本発明の第２実施形態に係る転写装置を示した構成図である。
【図８】（Ａ）（Ｂ）本発明の第３実施形態に係る転写装置を示した構成図である。
【図９】（Ａ）（Ｂ）本発明の第４実施形態に係る転写装置を示した構成図である。
【図１０】（Ａ）（Ｂ）本発明の第５実施形態に係る転写装置を示した構成図である。
【発明を実施するための形態】
【００１９】
＜第１実施形態＞
本発明の実施形態に係る転写装置及び画像形成装置の一例を図１〜図６に従って説明する。なお、各図に示す矢印Ｖは鉛直方向であって装置上下方向を示し、矢印Ｈは水平方向であって装置幅方向を示す。
【００２０】
（画像形成装置の全体構成）
図６は、画像形成装置１０を正面側から見た全体構成を示す概略図である。この図に示される如く、画像形成装置１０は、記録媒体としてのシート部材Ｐに転写されるトナー画像が形成されるトナー画像形成部１２と、シート部材Ｐを供給する媒体供給部１４と、媒体供給部１４から供給されるシート部材Ｐにトナー画像を転写する転写装置の一例としての転写部１６と、シート部材Ｐに転写されたトナー画像をシート部材Ｐに定着させる定着部１８と、各部を制御する制御部２０と、を備えている。
【００２１】
〔トナー画像形成部〕
トナー画像形成部１２は、図６に示されるように、図中矢印Ａ方向に回転する像保持体２６と、帯電器２８と、露光装置としてのＬＥＤヘッド３０と、現像器３２と、清掃部材３４と、を含んで構成されている。
【００２２】
そして、帯電器２８、ＬＥＤヘッド３０、現像器３２、及び清掃部材３４は、像保持体２６の表面と対向して、像保持体２６の回転方向の上流側から下流側へ向けてこの順番で配置されている。
【００２３】
［感光体ドラム］
像保持体２６は、円筒状に形成されて接地され、図示しない駆動手段によって前述したように自軸周りに図中矢印Ａ方向に回転するようになっている。そして、像保持体２６の表面には、一例として負の帯電極性を呈する感光層が形成されている。
【００２４】
［帯電器］
帯電器２８は、像保持体２６に対して鉛直方向の上側に配置され、像保持体２６の表面（感光層）を負極性に帯電させるようになっている。この実施形態では、帯電器２８は、コロナ放電方式（非接触帯電方式）のスコロトロン帯電器とされている。
【００２５】
［ＬＥＤヘッド］
ＬＥＤヘッド３０は、像保持体２６の軸方向に並ぶ複数の発光素子３０Ａ（ＬＥＤ）を備え、帯電した像保持体２６の表面に露光光Ｌを照射するようになっている。具体的には、制御部２０から受け取った画像データに応じた露光光Ｌを帯電器２８により帯電した像保持体２６の表面に照射するようになっている。そして、このＬＥＤヘッド３０による露光光Ｌの照射によって、像保持体２６の表面には静電潜像が形成されるようになっている。
【００２６】
［現像器］
現像器３２は、負極に帯電したトナーを含む現像剤Ｇで像保持体２６の表面に形成された静電潜像を現像することで、像保持体２６の表面にトナー画像を形成するようになっている。
【００２７】
［清掃部材］
清掃部材３４は、像保持体２６の表面に縁部が接触したブレード３４Ａを有し、このブレード３４Ａが、シート部材Ｐへのトナー画像の転写後に像保持体２６の表面に残留したトナーを像保持体２６の表面から掻き取るようになっている。
【００２８】
〔転写部〕
転写部１６は、トナー画像形成部１２に対して鉛直方向の下側に配置されている。
【００２９】
この転写部１６は、無端状の搬送部材の一例としての搬送ベルト４０と、搬送ベルト４０が巻き掛けられた駆動ロール４２と、搬送ベルト４０が巻き掛けられた従動ロール４４と、を備えている。
【００３０】
搬送ベルト４０は、４５０〔μｍ〕程度の厚みのゴムベルトの表面に、５〔μｍ〕程度の厚みのフッ素系樹脂をオーバーコートしたものである。
【００３１】
駆動ロール４２は、駆動源４６から駆動力が伝達されて回転し、これにより、搬送ベルト４０が図中矢印Ｂ方向に周回するようになっている。
【００３２】
従動ロール４４は、駆動ロール４２に対して水平方向の図中左側に配置されており、駆動ロール４２と従動ロール４４とに巻き掛けられた搬送ベルト４０において鉛直方向の上方を向いた面が、像保持体２６の表面と接触するようになっている。
【００３３】
また、搬送ベルト４０を挟んで像保持体２６の反対側には、転写電圧（転写出力の一例）が印加（供給）されることで搬送ベルト４０と像保持体２６との間の転写部Ｔに像保持体２６に形成されたトナー画像をシート部材Ｐに転写するための電位差を生じさせる転写部材の一例としての転写ロール４８が配置されている。
【００３４】
この構成において、駆動ロール４２が回転することで、搬送ベルト４０が、シート部材Ｐの裏面を支持してシート部材Ｐの表面を、回転する像保持体２６に転写部Ｔで接触させながら周回し、シート部材Ｐを搬送するようになっている。そして、転写部Ｔで、転写ロール４８によって、像保持体２６上のトナー画像が、シート部材Ｐの表面に転写されるようになっている。
【００３５】
なお、転写部１６の詳細については後述する。
【００３６】
〔媒体供給部〕
媒体供給部１４は、転写部１６に対して鉛直方向の下側に配置される収容器５０を備えている。この収容器５０に複数のシート部材Ｐが積載して収容されている。
【００３７】
収容器５０の上側には、収容器５０に積載された最上位のシート部材Ｐを送り出す送出ロール５２が配置されている。
【００３８】
さらに、シート部材Ｐが搬送される搬送経路５４において、送出ロール５２に対してシート部材Ｐの搬送方向（以下「シート搬送方向」と記載する）の下流側には、送出ロール５２によって収容器５０から重なって送り出されたシート部材Ｐを一枚ずつに分離する分離ロール５６が配置されている。
【００３９】
また、搬送経路５４において、分離ロール５６に対してシート搬送方向の下流側には、シート部材Ｐを搬送経路５４に沿って搬送する搬送ロール５８が配置されている。
【００４０】
さらに、搬送経路５４において、搬送ロール５８に対してシート搬送方向の下流側には、像保持体２６上のトナー画像の移動タイミングとシート部材Ｐの搬送タイミングとを合わせる位置合せロール６２が配置されている。
【００４１】
また、位置合せロール６２と搬送ベルト４０において従動ロール４４に巻き掛けられた部分との間には、搬送されるシート部材Ｐの裏面を支持しながらシート部材Ｐを位置合せロール６２から搬送ベルト４０に向けて案内する案内板６４が配置されている。
【００４２】
〔定着部〕
定着部１８は、転写部１６に対して水平方向の図中右側に配置されている。定着部１８には、搬送しながら熱と圧力とによりシート部材Ｐに転写されたトナー画像を定着する定着器６６が備えられている。
【００４３】
〔その他〕
定着器６６と搬送ベルト４０において駆動ロール４２に巻き掛けられた部分との間には、搬送されるシート部材Ｐの裏面を支持しながらシート部材Ｐを搬送ベルト４０から定着器６６に向けて案内する案内板６８が配置されている。
【００４４】
（全体構成の作用）
この構成により、以下のようにシート部材Ｐに画像が形成される。
【００４５】
先ず、制御部２０からＬＥＤヘッド３０に階調データが出力さる。そして、このＬＥＤヘッド３０から階調データに応じて出射された露光光Ｌは、帯電器２８によって帯電した像保持体２６の表面に照射される。これにより、像保持体２６の表面には静電潜像が形成される。像保持体２６上に形成された静電潜像は、現像器３２によって現像され、トナー画像として可視化される。
【００４６】
一方、収容器５０から送出ロール５２、分離ロール５６、搬送ロール５８、位置合せロール６２によって搬送経路５４に沿って搬送されてきたシート部材Ｐは、周回する搬送ベルト４０に裏面が支持されながら搬送される。
【００４７】
そして、像保持体２６上に形成されたトナー画像は、転写ロール４８によって転写部Ｔでシート部材Ｐの表面に転写される。トナー画像が転写されたシート部材Ｐは、定着器６６へと搬送される。そして、トナー画像が定着器６６によってシート部材Ｐに定着される。トナー画像が定着されていたシート部材Ｐは、図示せぬ排出ロールによって装置外に排出される。
【００４８】
（要部構成）
次に、転写部１６について詳細に説明する。
【００４９】
転写部１６は、図１（Ａ）（Ｂ）に示されるように、搬送ベルト４０に付着したトナー等の異物（以下単に「異物」と記載する）を搬送ベルト４０から掻き出す（浮き出す）掻出部材の一例としてのブラシロール８０と、搬送ベルト４０に縁部を接触させて搬送ベルト４０に付着した異物を搬送ベルト４０から掻き取る掻取部材の一例としての掻取ブレード８２と、を備えている。
【００５０】
また、転写部１６は、搬送ベルト４０を移動させ、搬送ベルト４０を像保持体２６と接触可能な接触位置（コンタクト位置）と、搬送ベルト４０を像保持体２６と離間する離間位置（リトラクト位置）とに切り替える切替部材の一例としてのソレノイド８６を備えている。
【００５１】
さらに、転写部１６は、転写ロール４８に転写電圧（転写出力の一例）を印加（供給）する電源部９０と、従動ロール４４に転写電圧とは逆極性の非転写電圧（逆出力の一例）を印加（供給）する電源部９２とを備えている。
【００５２】
〔ブラシロール・掻取ブレード〕
ブラシロール８０は、図６に示されるように、案内板６８に対して鉛直方向の下側に配置され、搬送ベルト４０を挟んで駆動ロール４２の反対側に配置されている。これにより、ブラシロール８０は、周回する搬送ベルト４０と従動して回転しながら搬送ベルト４０に付着した異物を搬送ベルト４０から掻き出すようになっている。
【００５３】
また、掻取ブレード８２は、ブラシロール８０に対して搬送ベルト４０の周回方向の下流側で、かつ、搬送ベルト４０を挟んで駆動ロール４２の反対側に配置されている。これにより、掻取ブレード８２は、搬送ベルト４０に接触した縁部で搬送ベルト４０に付着した異物を搬送ベルト４０から掻き取るようになっている。
【００５４】
なお、ブラシロール８０及び掻取ブレード８２については、ソレノイド８６による搬送ベルト４０の移動に伴っては移動しないように図示せぬフレームに取り付けられている。
【００５５】
〔ソレノイド等〕
ソレノイド８６の可動部８６Ａは、図示せぬベアリング等を介して、図１（Ａ）（Ｂ）に示されるように、従動ロール４４の回転軸４４Ａを支持している。
【００５６】
具体的には、ソレノイド８６は、図５に示されるように、従動ロール４４の長手方向の両側に配置されている。
【００５７】
一方、駆動ロール４２の回転軸４２Ａの両側、転写ロール４８の回転軸４８Ａの両端、及び従動ロール４４の回転軸４４Ａの両側は、一対のフレーム９４に回転可能に支持されており、さらに、駆動ロール４２の回転軸４２Ａの両側は、図示せぬ本体フレームに回転可能に支持されている。
【００５８】
この構成において、制御部３０がソレノイド８６を稼働（ＯＮ／ＯＦＦ）させると可動部８６Ａが移動し、図１（Ａ）（Ｂ）に示されるように、搬送ベルト４０は、駆動ロール４２の回転軸４２Ａを中心に揺動するようになっている。これにより、ソレノイド８６は、搬送ベルト４０を像保持体２６と接触可能な接触位置（図１（Ａ）参照）と、搬送ベルト４０を像保持体２６と離間する離間位置（図１（Ｂ）参照）とに配置位置を切り替えるようになっている。
【００５９】
なお、制御部２０がソレノイド８６を制御する工程（構成）については、後述する要部構成の作用と共に説明する。
【００６０】
〔転写ロール・従動ロール等〕
転写ロール４８は、電源部９０から正極性の転写電圧が印加されるようになっている。これにより、転写部Ｔに電位差が生じることで、像保持体２６に形成されたトナー画像がシート部材Ｐに転写されるようになっている。
【００６１】
具体的には、制御部２０がソレノイド８６を制御して搬送ベルト４０を接触位置に配置した状態で、駆動源４６を制御して駆動ロール４２を回転させて搬送ベルト４０によって搬送されるシート部材Ｐが転写部Ｔを通過している際に、制御部２０は電源部９０を制御して転写ロール４８に転写電圧を印加するようになっている（図４参照）。  従動ロール４４は、電源部９２から転写電圧とは逆極性（負極性）の非転写電圧が印加されるようになっている。これにより、転写部Ｔに電流が流れ、転写ロール４８によって転写部Ｔに生じる電位差に対して逆方向の電位差が転写部Ｔに生じることで、像保持体２６に付着したトナー（トナー画像を構成しないトナー）が、搬送ベルト４０に付着するのを抑制するようになっている。
【００６２】
具体的には、制御部２０がソレノイド８６を制御して搬送ベルト４０を接触位置に配置した状態で、１個のジョブにおいて搬送ベルト４０によって搬送される先のシート部材Ｐと後のシート部材Ｐの間の搬送ベルト４０の部分が転写部Ｔを通過している際に、制御部２０は電源部９２を制御して従動ロール４４に非転写電圧を印加するようになっている（図４参照）。これにより、像保持体２６に形成されたトナー画像とトナー画像との間（インターイメージ）に付着したトナー（トナー画像を構成しないトナー）が、搬送ベルト４０に付着するのを抑制するようになっている。
【００６３】
さらに、搬送ベルト４０が接触位置に配置された状態におけるジョブ間においても、制御部２０は電源部９２を制御して従動ロール４４に非転写電圧を印加するようになっている。
【００６４】
なお、制御部２０が、電源部９０及び電源部９２を制御する工程（構成）については、要部構成の作用と共に説明する。
【００６５】
（要部構成の作用）
次に、転写部１６、制御部２０等の作用についてトナー画像を複数のシート部材Ｐに転写する場合（１ジョブ）を例にとって説明する。
【００６６】
先ず、画像形成装置１０の電源が切られている際に、搬送ベルト４０は、図２（Ａ）に示されるように、離間位置に配置されている。
【００６７】
ユーザによって画像形成装置１０の電源が入れられ、シート部材Ｐに画像を形成する指示が画像形成装置１０に入力されると、トナー画像形成部１２が稼働して回転する像保持体２６にトナー濃度を調整するための矩形状の図示せぬトナーパッチが形成される。このトナーパッチは、図示せぬ検知部材に読み取られ、この検知結果に基づいてトナー濃度が調整される。この際に、搬送ベルト４０が離間位置に配置されているため、このトナーパッチは、搬送ベルト４０に接触することなく清掃部材３４のブレード３４Ａ（図６参照）によって像保持体２６から掻き取られる。
トナーパッチが掻き取られた後、ユーザの指示に基づくトナー画像が像保持体２６の周方向に間隔を空けて形成される。
【００６８】
一方、ユーザによって画像形成装置１０の電源が入れられ、シート部材Ｐに画像を形成する指示が画像形成装置１０に入力されると、転写部１６においては、制御部２０が、駆動源４６を制御して駆動ロール４２を回転させる。これにより、搬送ベルト４０が周回する。なお、この状態では、転写ロール４８及び従動ロール４４には、電圧は印加されていない。
【００６９】
さらに、制御部２０がソレノイド８６を制御して、図２（Ａ）（Ｂ）に示されるように、離間位置から接触位置へ搬送ベルト４０を切り替えられる。
【００７０】
そして、搬送ベルト４０が接触位置に配置された状態で、搬送ベルト４０によって搬送されるシート部材Ｐが転写部Ｔを通過している際に、制御部２０は、電源部９０を制御して転写ロール４８に転写電圧を印加する。一方、搬送ベルト４０によって搬送される先のシート部材Ｐと後のシート部材Ｐの間の搬送ベルト４０の部分が転写部Ｔを通過している際に、制御部２０は、電源部９２を制御して従動ロール４４に非転写電圧を印加する（図２（Ｃ）（Ｄ）、  図４参照）。
【００７１】
ここで、搬送ベルト４０が離間位置から接触位置に切り替えられた際に、制御部２０は、電源部９２を制御して、１枚目のシート部材Ｐが転写部Ｔに到達するまでに従動ロール４４に非転写電圧を印加する。そして、この非転写電圧は、１枚目のシート部材Ｐが転写部Ｔを通過した後に従動ロール４４に印加される非転写電圧に対して弱められている。例えば、１枚目のシート部材Ｐが転写部Ｔを通過した後に従動ロール４４に印加される非転写電圧を−１．２〔ＫＶ〕とすると、１枚目のシート部材Ｐが転写部Ｔに到達するまでに従動ロール４４に印加される非転写電圧を−０．６〔ＫＶ〕とする。
【００７２】
以下、搬送ベルト４０が離間位置から接触位置に切り替えられた際に、１枚目のシート部材Ｐが転写部Ｔに到達するまでに従動ロール４４に印加される非転写電圧を、１枚目のシート部材Ｐが転写部Ｔを通過した後に従動ロール４４に印加される非転写電圧に対して弱める理由について説明する。
【００７３】
前述したように、ブラシロール８０は、周回する搬送ベルト４０と従動しながら回転して搬送ベルト４０に付着した異物を搬送ベルト４０から掻き出す。この際に、異物の一部は、ブラシロール８０に保持される。そして、ユーザによって画像形成装置１０の電源が入れられた際に、制御部２０が駆動源４６を制御して駆動ロール４２を回転させると、ブラシロール８０に保持されている異物は、回転するブラシロール８０の毛と擦れて帯電する。
【００７４】
仮に、１枚目のシート部材Ｐが転写部Ｔに到達するまでに従動ロール４４に印加される非転写電圧を、１枚目のシート部材Ｐが転写部Ｔを通過した後に従動ロール４４に印加される非転写電圧と同等の強さとする。そうすると、１枚目のシート部材Ｐが転写部Ｔに到達する前に、転写部Ｔで、搬送ベルト４０が、非転写電圧を弱めない場合と比して強く帯電する。このように強く帯電した搬送ベルト４０の部分が、ブラシロール８０と対向する位置に到達すると、ブラシロール８０に保持されて帯電した異物が、静電気力により搬送ベルト４０に一気に吐き出される。
【００７５】
一方、掻取ブレード８２は、搬送ベルト４０が離間位置から接触位置に切り替えられることで、図３（Ａ）（Ｂ）に示されるように、掻取ブレード８２の縁部と搬送ベルト４０との当たり角（図中Ｄ°）が変わる。これにより、掻取ブレード８２の縁部と搬送ベルト４０との間に存在していたトナーダム（トナーだまり）１００の一部が、壊れることがある。搬送ベルト４０が離間位置と接触位置との間で切り替えられることで生じる振動や衝撃も、トナーダム１００が壊れる一因となる。
なお、掻取ブレード８２の縁部と搬送ベルト４０との間にトナーダム１００が存在することで、掻取ブレード８２の縁部の挙動が安定して掻取ブレード８２が、搬送ベルト４０に付着した異物を搬送ベルト４０から掻き取るようになっている。
【００７６】
このように、掻取ブレード８２の縁部と搬送ベルト４０との間に存在していたトナーダム１００の一部が壊れることで、ブラシロール８０から搬送ベルト４０に一気に吐き出された異物が、掻取ブレード８２と搬送ベルト４０との間をすり抜け、１枚目のシート部材Ｐの裏面に付着する。
【００７７】
ここで、前述したように、制御部２０は、搬送ベルト４０が離間位置から接触位置に切り替えられた際に、電源部９２を制御して、１枚目のシート部材Ｐが転写部Ｔに到達するまでに従動ロール４４に印加される非転写電圧を、１枚目のシート部材Ｐが転写部Ｔを通過した後に従動ロール４４に印加される非転写電圧に対して弱める。
【００７８】
そうすると、１枚目のシート部材Ｐが転写部Ｔに到達する前に、転写部Ｔで、搬送ベルト４０が、前述の場合と比して弱く帯電する。このように弱く帯電した搬送ベルト４０の部分が、ブラシロール８０と対向する位置に到達しても、ブラシロール８０に保持されて帯電した異物が搬送ベルト４０に一気に吐き出されるのが抑制される。
【００７９】
（まとめ）
このように、ブラシロール８０に保持されて帯電した異物が搬送ベルト４０に一気に吐き出されるのが抑制されることで、トナー画像を構成しないトナーが搬送ベルト４０に付着するのを抑制した上で、搬送ベルト４０によって搬送されるシート部材Ｐの裏面に付着する異物が減らされる。
【００８０】
また、図示せぬ排出ロールによって装置外に排出されるシート部材Ｐの裏面に付着する異物が減らされる。
【００８１】
＜第２実施形態＞
次に、本発明の第２実施形態に係る転写装置及び画像形成装置の一例について図７に従って説明する。なお、第１実施形態と同一部材等については、同一符号を付してその説明を省略し、第１実施形態と異なる部分を主に説明する。
【００８２】
本第２実施形態に係る転写装置の一例としての転写部１１０は、転写ロール４８によってトナー画像が転写されたシート部材Ｐの枚数を記憶する記憶部材の一例としての記憶部１１２を備えている。
【００８３】
そして、搬送ベルト４０が離間位置から接触位置に切り替えられ、かつ、記憶部１１２に記憶されているシート部材Ｐの枚数が予め決められた閾値（例えば、Ａ４換算で３０万枚）に達している際に、制御部１１４は、第１実施形態と同様の制御をするようになっている。
【００８４】
具体的には、制御部１１４は、電源部９２を制御して、１枚目のシート部材Ｐが転写部Ｔに到達するまでに従動ロール４４に印加される非転写電圧を、１枚目のシート部材Ｐが転写部Ｔを通過した後に従動ロール４４に印加される非転写電圧に対して弱めるようになっている。
【００８５】
以下、記憶部１１２に記憶されているシート部材Ｐの枚数が予め決められた閾値に達している際に、制御部１１４が前述したような制御をする理由について説明する。
【００８６】
搬送ベルト４０は、前述したように、４５０〔μｍ〕程度の厚みのゴムベルトの表面に、５〔μｍ〕程度の厚みのフッ素系樹脂をオーバーコートしたものである。このため、転写ロール４８によってトナー画像が転写されたシート部材Ｐの枚数の増加に伴って、搬送ベルト４０のオーバーコートの平滑度が低下する。
【００８７】
搬送ベルト４０のオーバーコートの平滑度が低下することで、搬送ベルト４０が離間位置から接触位置に切り替えられた際に、掻取ブレード８２の縁部と搬送ベルト４０との間に存在していたトナーダム１００の壊れた部分から、トナーがすり抜けやすくなってしまう。
【００８８】
このように、掻取ブレード８２の縁部と搬送ベルト４０との間に存在していたトナーダム１００の一部が、容易に壊れてしまう際に、制御部１１４が、１枚目のシート部材Ｐが転写部Ｔに到達するまでに従動ロール４４に印加される非転写電圧を、１枚目のシート部材Ｐが転写部Ｔを通過した後に従動ロール４４に印加される非転写電圧に対して弱めるようになっている。
【００８９】
このため、トナーダム１００の一部が容易に壊れてしまう際に、ブラシロール８０に保持されて帯電した異物が搬送ベルト４０に一気に吐き出されるのが抑制されることで、トナー画像を構成しないトナーが搬送ベルト４０に付着するのを抑制した上で、搬送ベルト４０によって搬送されるシート部材Ｐの裏面に付着する異物が減らされる。
【００９０】
＜第３実施形態＞
次に、本発明の第３実施形態に係る転写装置及び画像形成装置の一例について図８に従って説明する。なお、第２実施形態と同一部材等については、同一符号を付してその説明を省略し、第２実施形態と異なる部分を主に説明する。
【００９１】
本第３実施形態に係る転写装置の一例としての転写部１２０は、転写部１２０周辺の温度を検出する検出部材の一例としての検出部１２２を備えている。
【００９２】
そして、搬送ベルト４０が離間位置から接触位置に切り替えられ、記憶部１１２に記憶されているシート部材Ｐの枚数が予め決められた閾値（例えば、Ａ４換算で３０万枚）に達し、かつ、検出部１２２によって検出された温度が予め決められた閾値（例えば、１５〔℃〕）以下に低下している際に、制御部１２４は、第２実施形態と同様の制御をするようになっている。
【００９３】
具体的には、制御部１２４は、電源部９２を制御して、１枚目のシート部材Ｐが転写部Ｔに到達するまでに従動ロール４４に印加される非転写電圧を、１枚目のシート部材Ｐが転写部Ｔを通過した後に従動ロール４４に印加される非転写電圧に対して弱めるようになっている。
【００９４】
以下、検出部１２２によって検出された温度が予め決められた閾値（例えば、１５〔℃〕以下に低下している際に、制御部１２４が前述したような制御をする理由について説明する。
【００９５】
搬送ベルト４０は、前述したように、４５０〔μｍ〕程度の厚みのゴムベルトの表面に、５〔μｍ〕程度の厚みのフッ素系樹脂をオーバーコートしたものである。このため、温度が低下すると、搬送ベルト４０のオーバーコートに小さなクラックが生じることがある。
【００９６】
搬送ベルト４０のオーバーコートに小さなクラックが生じることで、搬送ベルト４０が離間位置から接触位置に切り替えられる際に、掻取ブレード８２の縁部と搬送ベルト４０との間に存在していたトナーダム１００の壊れた部分から、トナーがさらに容易にすり抜けてしまう。
【００９７】
このように、掻取ブレード８２の縁部と搬送ベルト４０との間から、トナーがさらに容易にすり抜けてしまう際に、制御部１２４が、１枚目のシート部材Ｐが転写部Ｔに到達するまでに従動ロール４４に印加される非転写電圧を、１枚目のシート部材Ｐが転写部Ｔを通過した後に従動ロール４４に印加される非転写電圧に対して弱めるようになっている。
【００９８】
このため、トナーがさらに容易にすり抜けてしまう際に、ブラシロール８０に保持されて帯電した異物が搬送ベルト４０に一気に吐き出されるのが抑制されることで、トナー画像を構成しないトナーが搬送ベルト４０に付着するのを抑制した上で、搬送ベルト４０によって搬送されるシート部材Ｐの裏面に付着する異物が減らされる。
【００９９】
＜第４実施形態＞
次に、本発明の第４実施形態に係る転写装置及び画像形成装置の一例について図９に従って説明する。なお、第１実施形態と同一部材等については、同一符号を付してその説明を省略し、第１実施形態と異なる部分を主に説明する。
【０１００】
本第４実施形態に係る転写装置の一例としての転写部１３０は、搬送ベルト４０の周回回数を記憶する記憶部材の一例としての記憶部１３２を備えている。
【０１０１】
そして、搬送ベルト４０が離間位置から接触位置に切り替えられ、かつ、記憶部１３２に記憶されている搬送ベルト４０の周回回数が予め決められた閾値（例えば、３０万回）に達している際に、制御部１３４は、第１実施形態と同様の制御をするようになっている。
【０１０２】
具体的には、制御部１３４は、電源部９２を制御して、１枚目のシート部材Ｐが転写部Ｔに到達するまでに従動ロール４４に印加される非転写電圧を、１枚目のシート部材Ｐが転写部Ｔを通過した後に従動ロール４４に印加される非転写電圧に対して弱めるようになっている。
【０１０３】
以下、記憶部１３２に記憶されている搬送ベルト４０の周回回数が予め決められた閾値に達している際に、制御部１３４が前述したような制御をする理由について説明する。
【０１０４】
搬送ベルト４０は、前述したように、４５０〔μｍ〕程度の厚みのゴムベルトの表面に、５〔μｍ〕程度の厚みのフッ素系樹脂をオーバーコートしたものである。このため、搬送ベルト４０の周回回数の増加に伴って、搬送ベルト４０のオーバーコートの平滑度が低下する。
【０１０５】
搬送ベルト４０のオーバーコートの平滑度が低下することで、搬送ベルト４０が離間位置から接触位置に切り替えられる際に、掻取ブレード８２の縁部と搬送ベルト４０との間に存在していたトナーダム１００の壊れた部分から、トナーが容易にすり抜けてしまう。
【０１０６】
このように、掻取ブレード８２の縁部と搬送ベルト４０との間に存在していたトナーが、容易にすり抜けてしまう際に、制御部１１４が、１枚目のシート部材Ｐが転写部Ｔに到達するまでに従動ロール４４に印加される非転写電圧を、１枚目のシート部材Ｐが転写部Ｔを通過した後に従動ロール４４に印加される非転写電圧に対して弱めるようになっている。
【０１０７】
このため、トナーが容易にすり抜けてしまう際に、ブラシロール８０に保持されて帯電した異物が搬送ベルト４０に一気に吐き出されるのが抑制されることで、トナー画像を構成しないトナーが搬送ベルト４０に付着するのを抑制した上で、搬送ベルト４０によって搬送されるシート部材Ｐの裏面に付着する異物が減らされる。
【０１０８】
＜第５実施形態＞
次に、本発明の第５実施形態に係る転写装置及び画像形成装置の一例について図１０に従って説明する。なお、第４実施形態と同一部材等については、同一符号を付してその説明を省略し、第４実施形態と異なる部分を主に説明する。
【０１０９】
本第５実施形態に係る転写装置の一例としての転写部１４０は、転写部１４０周辺の温度を検出する検出部材の一例としての検出部１４２を備えている。
【０１１０】
そして、搬送ベルト４０が離間位置から接触位置に切り替えられ、記憶部１３２に記憶されている搬送ベルト４０の周回回数が予め決められた閾値に達し、かつ、検出部１４２によって検出された温度が予め決められた閾値（例えば、１５〔℃〕）以下に低下している際に、制御部１４４は、第４実施形態と同様の制御をするようになっている。
【０１１１】
具体的には、制御部１４４は、電源部９２を制御して、１枚目のシート部材Ｐが転写部Ｔに到達するまでに従動ロール４４に印加される非転写電圧を、１枚目のシート部材Ｐが転写部Ｔを通過した後に従動ロール４４に印加される非転写電圧に対して弱めるようになっている。
【０１１２】
以下、検出部１４２によって検出された温度が予め決められた閾値（例えば、１５〔℃〕以下に低下している際に、制御部１４４が前述したような制御をする理由について説明する。
【０１１３】
搬送ベルト４０は、前述したように、４５０〔μｍ〕程度の厚みのゴムベルトの表面に、５〔μｍ〕程度の厚みのフッ素系樹脂をオーバーコートしたものである。このため、温度が低下すると、搬送ベルト４０のオーバーコートに小さなクラックが生じることがある。
【０１１４】
搬送ベルト４０のオーバーコートに小さなクラックが生じることで、搬送ベルト４０が離間位置から接触位置に切り替えられる際に、掻取ブレード８２の縁部と搬送ベルト４０との間に存在していたトナーダム１００の壊れた部分から、トナーがさらに容易にすり抜けてしまう。
【０１１５】
このように、掻取ブレード８２の縁部と搬送ベルト４０との間に存在していたトナーが、さらに容易にすり抜けてしまう際に、制御部１２４が、１枚目のシート部材Ｐが転写部Ｔに到達するまでに従動ロール４４に印加される非転写電圧を、１枚目のシート部材Ｐが転写部Ｔを通過した後に従動ロール４４に印加される非転写電圧に対して弱めるようになっている。
【０１１６】
このため、トナーがさらに容易にすり抜けてしまう際に、ブラシロール８０に保持されて帯電した異物が搬送ベルト４０に一気に吐き出されるのが抑制されることで、トナー画像を構成しないトナーが搬送ベルト４０に付着するのを抑制した上で、搬送ベルト４０によって搬送されるシート部材Ｐの裏面に付着する異物が減らされる。
【０１１７】
なお、本発明を特定の実施形態について詳細に説明したが、本発明は係る実施形態に限定されるものではなく、本発明の範囲内にて他の種々の実施形態が可能であることは当業者にとって明らかである。例えば、上記実施形態では、制御部２０、１１４、１２４、１３４，１４４は、１枚目のシート部材Ｐが転写部Ｔに到達するまでに従動ロール４４に印加される非転写電圧を、１枚目のシート部材Ｐが転写部Ｔを通過した後に従動ロール４４に印加される非転写電圧に対して弱めたが、１枚目のシート部材Ｐが転写部Ｔに到達するまでに従動ロール４４に印加（供給）される非転写電圧の印加を停止させてもよい。
【０１１８】
また、上記実施形態では、転写ロール４８に転写電圧を印加したが転写電流（転写出力の一例）を供給してもよい。
【０１１９】
また、上記実施形態では、従動ロール４４に非転写電圧を印加したが非転写電流（逆出力の一例）を供給してもよい。
【０１２０】
また、上記実施形態では、転写ロール４８を用いて転写部Ｔに電位差を生じさせ、従動ロール４４を用いて転写部Ｔに逆方向の電位差を生じさせたが、同一の部材を用いて、転写部Ｔに一方向の電位差と、一方向に対して逆方向の電位差を生じさせてもよい。
【０１２１】
また、上記実施形態では、特に説明しなかったが、静電気力を用いて搬送ベルト４０にシート部材Ｐの裏面を吸着させてもよく、さらに、この場合に、搬送ベルト４０から案内板６８にシート部材Ｐを引き渡す際に、搬送ベルト４０からシート部材Ｐを剥離させる剥離爪を設けてもよい。
【０１２２】
また、上記実施形態では、トナーパッチの形成は、ユーザによって画像形成装置１０の電源が入れられ、シート部材Ｐにユーザ指示の画像を形成するまでに行われるものとして説明したが、ジョブ中であっても、トナー濃度の調整が必要となるタイミングで、トナーパッチが形成される。この場合も、搬送ベルト４０が離間位置から接触位置に切り替えられた際に、制御部２０は、電源部９２を制御して、トナーパッチ形成後の１枚目のシート部材Ｐが転写部Ｔに到達するまでに従動ロール４４に非転写電圧を印加する等の制御を行う。
【符号の説明】
【０１２３】
１０        画像形成装置
１６        転写部（転写装置の一例）
２０        制御部
４０        搬送ベルト（搬送部材の一例）
４４        従動ロール（逆出力部材の一例）
４８        転写ロール（転写部材の一例）
８０        ブラシロール（掻出部材の一例）
８２        掻取ブレード（掻取部材の一例）
８６        ソレノイド（切替部材の一例）
１１０      転写部（転写装置の一例）
１１２      記憶部（記憶部材の一例）
１１４      制御部
１２０      転写部（転写装置の一例）
１２２      検出部（検出部材の一例）
１２４      制御部
１３０      転写部（転写装置の一例）
１３２      記憶部（記憶部材の一例）
１３４      制御部
１４０      転写部（転写装置の一例）
１４２      検出部（検出部材の一例）
１４４      制御部
【図１】
2015001725.tif 000003
【図２】
2015001725.tif 000004
【図３】
2015001725.tif 000005
【図４】
2015001725.tif 000006
【図５】
2015001725.tif 000007
【図６】
2015001725.tif 000008
【図７】
2015001725.tif 000009
【図８】
2015001725.tif 000010
【図９】
2015001725.tif 000011
【図１０】
2015001725.tif 000012